(57)【要約】【課題】壁面隅部において給湯器、給湯用配管等の給湯用部材が外壁を貫通して配設された既存の浴室をユニットバスにリフォームする際の作業を省施工化することができ、しかも見栄え良く仕上げる。【解決手段】既設の浴室床の上に配置された床パンの上に壁面隅部を形成する第１及び第２の２枚の壁パネル（２）（３）が建て込まれ、第１の壁パネルには給湯用部材の嵌め込みを可能とした第１の開口（４）が設けられ、第２の壁パネルには第１の開口に隣接し、第１の開口より縦が長く、給湯用部材の着脱を可能にする奥行きを有する第２の開口（５）が設けられ、この第２の開口に、給湯用部材の着脱の際に間隙を形成する凹部（６）を有する凹型のスペース壁材（７）が配設される。【選択図】　　　　　図１
2004076563.tif 000002
【特許請求の範囲】
【請求項１】
壁面隅部において給湯用部材が外壁を貫通して配設された既存の浴室をユニットバスにリフォームする際のユニットバスの壁構造であり、既設の浴室床の上に配置された床パンの上に壁面隅部を形成する第１及び第２の２枚の壁パネルが建て込まれ、第１の壁パネルには給湯用部材の嵌め込みを可能とした第１の開口が設けられ、第２の壁パネルには前記第１の開口に隣接し、第１の開口より縦が長く、給湯用部材の着脱を可能にする奥行きを有する第２の開口が設けられ、この第２の開口に、給湯用部材の着脱の際に間隙を形成する凹部を有する凹型のスペース壁材が配設されることを特徴とするユニットバスの壁構造。
【請求項２】
第１、第２の壁パネルのそれぞれに設けられる第１、第２の開口は、壁面隅部に向かって開口するコ字型形状を有する請求項１記載のユニットバスの壁構造。
【請求項３】
スペース壁材の壁面隅部側の立上がり片が縁部を残して切り欠かれ、第３の開口が形成され、この第３の開口を閉塞し、かつ第３の開口と第１の壁パネルに設けられた第１の開口とで形成する給湯用部材の嵌入用開口の幅を調整する調整材が、スペース壁材の壁面隅部側の立上がり片縁部に取り付けられる請求項２記載のユニットバスの壁構造。
【請求項４】
調整材は反転使用可能で、左右に給湯用部材の嵌入用開口の縁の一部を形成する凹部と凸部を備えている請求項３記載のユニットバスの壁構造。
【請求項５】
調整材は、給湯用部材の嵌め込みを可能とした開口を有する請求項３記載のユニットバスの壁構造。
【請求項６】
第１の壁パネルの壁面隅部側の側端部がスペース壁材の壁面隅部側の立上がり片に接し、第１の開口は給湯用部材の嵌め込みが可能なロ字型形状を有する請求項１記載のユニットバスの壁構造。
【請求項７】
第２の壁パネルの第２の開口はロ字型形状を有し、施工現場で壁面隅部側の縁辺部が切り取られてコ字型とされ、切り取られた縁辺部が第１の壁パネルの壁面隅部側の側端部に結合され、第１の開口が施工現場でロ字型に開口形成される請求項６記載のユニットバスの壁構造。
【請求項８】
角部を壁面隅部に位置させて設置される浴槽と第１の壁パネルとの間に給湯用部材の上端部を隠蔽する第１の隠蔽部材が配設される請求項１乃至７いずれかに記載のユニットバスの壁構造。
【請求項９】
第１の壁パネルにおいて上略半部が下略半部より浴室内側に突出し、第１の隠蔽部材が、第１の壁パネルの上略半部の下縁に接し、かつ上略半部の表面と面一になって給湯用部材の上端部を隠蔽する請求項８記載のユニットバスの壁構造。
【請求項１０】
第１の隠蔽部材は、水平部と、水平部の前端から延設された垂下部とを備え、断面逆さＬ字型形状を有し、垂下部が給湯用部材の上端部を隠蔽する請求項８記載のユニットバスの壁構造。
【請求項１１】
第１の隠蔽部材において給湯用部材の上端部に対向しない垂下部の裏面側に第１の壁パネルの表面に当接する突起が設けられる請求項１０記載のユニットバスの壁構造。
【請求項１２】
角部を壁面隅部に位置させて設置される浴槽と第２の壁パネルとの間にスペース壁材の上端部を隠蔽する第２の隠蔽部材が配設される請求項１乃至１１いずれかに記載のユニットバスの壁構造。
【請求項１３】
第２の隠蔽部材の裏面側にスペース壁材の表面に当接する当接部材が設けられる請求項１２記載のユニットバスの壁構造。
【請求項１４】
スペース壁材の上端部が、角部を壁面隅部に位置させて設置される浴槽の上端部より高く、スペース壁材の上部に小物置が配設される請求項１乃至１１いずれかに記載のユニットバスの壁構造。
【発明の詳細な説明】
【０００１】
【発明の属する技術分野】
この出願の発明は、ユニットバスの壁構造に関するものである。さらに詳しくは、この出願の発明は、壁面隅部において給湯器、給湯用配管等の給湯用部材が外壁を貫通して配設された既存の浴室をユニットバスにリフォームする際の作業を省施工化することができ、しかも見栄え良く仕上げることのできるユニットバスの壁構造に関するものである。
【０００２】
【従来の技術】
築年数の古い住宅に対して既存の構造体はそのまま利用し、内外装を改良するリフォームが行われている。在来工法により施工された既存の浴室をユニットバスにリフォームする需要も潜在的に見込まれ、それを可能とするための構造が様々に検討されている（たとえば、特許文献１参照）。
【０００３】
【特許文献１】
特開平１１−６２２８６号公報
【０００４】
【発明が解決しようとする課題】
だが、築年数の古い団地やアパート等の集合住宅では、浴室の壁面隅部において、外壁を貫通する給湯器（通称ウォールインワン給湯器）、給湯用配管等の給湯用部材が配設されているため、この給湯用部材とユニットバスを形成する壁パネルとの取合いをどのような構造により実現し、また、作業を省施工化することができるかが問題となっている。たとえば、給湯用部材は経年使用にともない修理や取替えが必要となるが、その際にも設置した壁パネルが邪魔にならず、給湯用部材の修理や取替え作業をスムーズに行えるようにする必要がある。また、見栄えを良好に仕上げる必要もある。
【０００５】
この出願の発明は、以上のとおりの事情に鑑みてなされたものであり、壁面隅部において給湯用部材が外壁を貫通して配設された既存の浴室をユニットバスにリフォームする際の作業を省施工化することができ、しかも見栄え良く仕上げることのできるユニットバスの壁構造を提供することを解決すべき課題としている。
【０００６】
【課題を解決するための手段】
この出願の発明は、上記の課題を解決するものとして、壁面隅部において給湯用部材が外壁を貫通して配設された既存の浴室をユニットバスにリフォームする際のユニットバスの壁構造であり、既設の浴室床の上に配置された床パンの上に壁面隅部を形成する第１及び第２の２枚の壁パネルが建て込まれ、第１の壁パネルには給湯用部材の嵌め込みを可能とした第１の開口が設けられ、第２の壁パネルには前記第１の開口に隣接し、第１の開口より縦が長く、給湯用部材の着脱を可能にする奥行きを有する第２の開口が設けられ、この第２の開口に、給湯用部材の着脱の際に間隙を形成する凹部を有する凹型のスペース壁材が配設されることを特徴とするユニットバスの壁構造（請求項１）を提供する。
【０００７】
また、この出願の発明は、第１、第２の壁パネルのそれぞれに設けられる第１、第２の開口は、壁面隅部に向かって開口するコ字型形状を有すること（請求項２）、スペース壁材の壁面隅部側の立上がり片が縁部を残して切り欠かれ、第３の開口が形成され、この第３の開口を閉塞し、かつ第３の開口と第１の壁パネルに設けられた第１の開口とで形成する給湯用部材の嵌入用開口の幅を調整する調整材が、スペース壁材の壁面隅部側の立上がり片縁部に取り付けられること（請求項３）、調整材は反転使用可能で、左右に給湯用部材の嵌入用開口の縁の一部を形成する凹部と凸部を備えていること（請求項４）、調整材は、給湯用部材の嵌め込みを可能とした開口を有すること（請求項５）をそれぞれ一態様として提供する。
【０００８】
さらに、この出願の発明は、第１の壁パネルの壁面隅部側の側端部がスペース壁材の壁面隅部側の立上がり片に接し、第１の開口は給湯用部材の嵌め込みが可能なロ字型形状を有すること（請求項６）、第２の壁パネルの第２の開口はロ字型形状を有し、施工現場で壁面隅部側の縁辺部が切り取られてコ字型とされ、切り取られた縁辺部が第１の壁パネルの壁面隅部側の側端部に結合され、第１の開口が施工現場でロ字型に開口形成されること（請求項７）をそれぞれ一態様として提供する。
【０００９】
さらにまた、この出願の発明は、角部を壁面隅部に位置させて設置される浴槽と第１の壁パネルとの間に給湯用部材の上端部を隠蔽する第１の隠蔽部材が配設されること（請求項８）、第１の壁パネルにおいて上略半部が下略半部より浴室内側に突出し、第１の隠蔽部材が、第１の壁パネルの上略半部の下縁に接し、かつ上略半部の表面と面一になって給湯用部材の上端部を隠蔽すること（請求項９）、第１の隠蔽部材は、水平部と、水平部の前端から延設された垂下部とを備え、断面逆さＬ字型形状を有し、垂下部が給湯用部材の上端部を隠蔽すること（請求項１０）、第１の隠蔽部材において給湯用部材の上端部に対向しない垂下部の裏面側に第１の壁パネルの表面に当接する突起が設けられること（請求項１１）をそれぞれ一態様として提供する。
【００１０】
そして、この出願の発明は、角部を壁面隅部に位置させて設置される浴槽と第２の壁パネルとの間にスペース壁材の上端部を隠蔽する第２の隠蔽部材が配設されること（請求項１２）、第２の隠蔽部材の裏面側にスペース壁材の表面に当接する当接部材が設けられること（請求項１３）をそれぞれ一態様として提供する。
【００１１】
そしてまた、この出願の発明は、スペース壁材の上端部が、角部を壁面隅部に位置させて設置される浴槽の上端部より高く、スペース壁材の上部に小物置が配設されること（請求項１４）を一態様として提供する。
【００１２】
以下、図面に沿ってこの出願の発明のユニットバスの壁構造についてさらに詳しく説明する。
【００１３】
【発明の実施の形態】
図１は、この出願の発明のユニットバスの壁構造の一実施形態を示した分解斜視図である。
【００１４】
この出願の発明のユニットバスの壁構造は、壁面隅部において、給湯器（１）（通称ウォールインワン給湯器）や給湯用配管等の給湯用部材が外壁を貫通して配設された既存の浴室をユニットバスにリフォームする際に適用されるユニットバスの壁構造である。
【００１５】
すなわち、この出願の発明のユニットバスの壁構造では、図１に示したように、既設の浴室床の上に配置された床パン（図示なし）の上に壁面隅部を形成する第１及び第２の２枚の壁パネル（２）（３）が建て込まれる。第１の壁パネル（２）には、給湯器（１）、給湯用配管等の給湯用部材の嵌め込みを可能とした第１の開口（４）が設けられ、第２の壁パネル（３）には、第１の開口（４）に隣接し、第１の開口（４）より縦が長く、給湯器（１）、給湯用配管等の給湯用部材の着脱を可能にする奥行きを有する第２の開口（５）が設けられる。
【００１６】
また、この出願の発明のユニットバスの壁構造では、図１に示したように、第２の壁パネル（３）の第２の開口（５）に、給湯器（１）、給湯用配管等の給湯用部材の着脱の際に間隙を形成する凹部（６）を有する凹型のスペース壁材（７）が配設される。
【００１７】
このように、この出願の発明のユニットバスの壁構造では、第２の壁パネル（３）の第２の開口（５）に凹型のスペース壁材（７）が配設されるため、給湯器（１）、給湯用配管等の給湯用部材と第１及び第２の壁パネル（２）（３）との取合いに何ら支障はなく、既存の浴室をユニットバスにリフォームする際の作業が省施工化する。また、第１及び第２の壁パネル（２）（３）の建込み後、給湯器（１）、給湯用配管等の給湯用部材を着脱することができ、取付け後の見栄えが良好となる。
【００１８】
図１に示した実施形態のように、この出願の発明のユニットバスの壁構造では、第１及び第２の壁パネル（２）（３）にそれぞれ設けられる第１、第２の開口（４）（５）は、壁部隅部に向かって開口するコ字型形状を有するものとすることができる。この場合、第１及び第２の開口（４）（５）を開口するのにコ字型に切り欠きさえすればよいため、開口作業は容易となる。
【００１９】
スペース壁材（７）は、たとえば、図１に示したような角型トレイ状とすることができる。この場合、上及び手前側の２つの立上がり片（８）（９）を第２の壁パネル（３）の第２の開口（５）において当接する部位にビス、釘等の固着具を用い、スペース壁材（７）を固定することができる。下の立上がり片（１０）は固定しない方が、給湯器（１）、給湯用配管等の給湯用部材の着脱をスムーズに行うのに都合がよい。それというのも、ビス、釘等の固着具の取付け状態によってはその頭部が給湯器（１）、給湯用配管等の給湯用部材に接触し、給湯用部材の着脱を阻害することがないとはいえないからである。したがって、図１に示したように、立上がり片（１０）から垂下片（１１）を垂設し、この垂下片（１１）においてその表面側から垂下片（１１）が接触する第２の壁パネル（３）の表面部に向けてビス、釘等の固着具を用いて固定するのが好ましい。このようなスペース壁材（７）の材質としては腐食の発生のおそれが少ないステンレスが好ましく例示される。
【００２０】
また、図１に示した実施形態のように、この出願の発明のユニットバスの壁構造では、既存の浴室の外壁とユニットバスとの間に形成されるおそれのある隙間を遮断するために（この隙間は特に給湯器（１）の周辺に形成されやすい）、給湯器（１）の外形に対応した大きさの開口（１２）を有する接続筒（１３）を、給湯器（１）と第１の壁パネル（２）の第１の開口（４）との間に介在させることができる。この接続筒（１３）には浴室側の一端の四周にフランジ（１４）を設け、このフランジ（１４）において接続筒（１３）をビス、釘等の固着具により固定可能とすることができる。フランジ（１４）の左側部分（１４ａ）は、たとえば、前述の角型トレイ状のスペース壁材（７）の壁面隅部側の立上がり片（１５）に固定し、右側部分（１４ｂ）は第１の壁パネル（２）に固定することができる。このような接続筒（１３）を用いる場合、給湯器（１）は、一般にその浴室側端部に設けられる取付けフランジ（１６）を接続筒（１３）のフランジ（１４）の表面に当接させてビス、釘等の固着具により固定することができる。
【００２１】
さらにこの出願の発明のユニットバスの壁構造では、図１に示した実施形態のように、開口（１７）を有する矩形の下地枠（１８）を、給湯器（１）、給湯用配管等の給湯用部材が嵌め込まれる第１の壁パネル（２）の裏面に介在させることもできる。この場合、下地枠（１８）の開口（１７）は、第１の壁パネル（２）に形成されたコ字型形状を有する第１の開口（４）と一致若しくはほぼ一致する大きさを有し、その開口（１７）を第１の開口（４）と一致若しくはほぼ一致させて第１の壁パネル（２）の裏面に配置する。この配置により、図１に示したように、下地枠（１８）の左側部分（１８ａ）は、第１の壁パネル（２）の壁面隅部側の一側端から左方に突出する。このように突出する下地枠（１８）の左側部分（１８ａ）にはスペース壁材（７）の壁面隅部側の立上がり片（１５）を固定することができ、スペース壁材（７）を第２の壁パネル（３）に配設する際の固定強度を高めるのに有効となる。こればかりでなく、前述の接続筒（１３）や給湯器（１）、給湯用配管等の給湯用部材の固定強度も下地枠（１８）の存在により高まる。さらに、下地枠（１８）は、既存の浴室壁面と第１の壁パネル（２）との間の間隔の調整を行う等にも有効となる。
【００２２】
また、この出願の発明のユニットバスの壁構造では、図２に示したように、スペース壁材（７）の壁面隅部側の立上がり片（１５）を、縁部を残して切り欠き、第３の開口（１９）を形成し、そして、この第３の開口（１９）を閉塞し、かつ第３の開口（１９）と第１の壁パネル（２）に設けられた第１の開口（４）とで形成する給湯器（１）、給湯用配管等の給湯用部材の嵌入用開口の幅を調整する調整材（２０）をスペース壁材（７）の壁面隅部側の立上がり片（１５）の縁部に取り付けることができる。
【００２３】
こうすることにより、スペース壁材（７）をあらかじめ第２の壁パネル（３）のコ字型形状を有する第２の開口（５）に取り付けておくことができ、この状態において給湯器（１）、給湯配管等の給湯用部材の嵌入用開口の幅に合うように調整材（２０）を切断して取り付け、給湯用部材の嵌入用開口の位置を調整することができる。また、現場での作業性が良好となる。
【００２４】
調整材（２０）は、たとえば図２に示したように、矢印形状の先が切断されたような形状のものとすることができる。この形状は、凹型のスペース壁材（７）に水が滞留しないように下の立上がり片（１０）を浴室内側に向かって傾斜させ、また、スペース壁材（７）を壁面隅部において給湯用部材の設置位置に応じて第１、第２いずれの壁パネル（２）（３）にも取り付けることができるように、上の立上がり片（８）も浴室側に向かって傾斜させたものとする場合に適用可能とするためである。
【００２５】
また、調整材（２０）は、図３に示したように、反転使用可能で、左右に給湯用部材の嵌入用開口の縁の一部を形成する凹部（２１）と凸部（２２）を備えたものとすることができる。第１の開口（４）における給湯器（１）、給湯用配管等の給湯用部材の設置位置は現場によりばらつく。図３に示した調整材（２０）では、給湯用部材の嵌入用開口が図２に示した第１の開口（４）の向かって左側に寄って位置する場合には、凹部（２１）により嵌入用開口の左側の縁を形成し、一方、嵌入用開口が第１の開口（４）の向かって右側に寄って位置する場合には、凸部（２２）により嵌入用開口の左側の縁を形成することができる。
【００２６】
さらに、調整材（２０）は、図４に示したように、給湯用部材の嵌め込みを可能とした開口（２３）が形成されたものとすることもできる。この調整材（２０）の場合には、施工現場において、給湯用部材の嵌入用開口の位置に合うように上下左右を切断する等して嵌入用開口の配置位置を調整することができる。
【００２７】
さらにまた、この出願の発明のユニットバスの壁構造では、図５に示したように、第１の壁パネル（２）の壁面隅部側の側端部がスペース壁材（７）の壁面隅部側の立上がり片（１５）に接するものとすることができる。
【００２８】
具体的には、たとえば、第１の壁パネル（２）の壁面隅部側の側端部に凸部（２４）を設け、この凸部（２４）においてスペース壁材（７）の壁面隅部側の立上がり片（１５）に接するようにすることができる。このような第１の壁パネル（２）に設けられる第１の開口（４）は、給湯器（１）、給湯用配管等の給湯用部材の嵌め込みが可能なロ字型形状を有するものとすることができる。
【００２９】
こうすることにより、第２の壁パネル（３）にスペース壁材（７）をあらかじめ取り付けておいても、現場において第１の壁パネル（２）の適切な部位に調整して第１の開口（４）を開口形成することができ、給湯器（１）、給湯用配管等の給湯用部材の嵌め込みが可能となる。なお、この場合、第１の開口（４）の開口に先立って、図５に示したように、給湯用部材の固定下地用の補強板（２５）を第１の壁パネル（２）の裏面に凸部（２４）に一致若しくはほぼ一致させて重合固定することができる。
【００３０】
第１の壁パネル（２）の壁面隅部側の側端部がスペース壁材（７）の壁面隅部側の立上がり片（１５）に接するものとする場合、この出願の発明のユニットバスの壁構造では、図５に示した実施形態の他、図６に示したように、第２の壁パネル（３）に設けられる第２の開口（５）をロ字型形状とし、施工現場で壁面隅部側の縁辺部（２６）を切り取って第２の開口（５）をコ字型とし、切り取った縁辺部（２６）を第１の壁パネル（２）の壁面隅部側の側端部に結合させることができる。この場合にも、第１の壁パネル（２）に設けられる第１の開口（４）は、給湯用部材の位置に合うように調整可能とするために施工現場でロ字型に開口形成されるようにする。給湯用部材の固定下地用の補強板（２５）を設ける際には、図５に示した実施形態と同様に、結合させた縁辺部（２６）に一致若しくはほぼ一致させて補強板（２５）を第１の壁パネル（２）の裏面に重合固定することができる。
【００３１】
このようにすると、給湯用部材の嵌入用開口を適切な位置に調整して第１の壁パネル（２）に設けることができるとともに、第２の壁パネル（３）に設けられる第２の開口（５）がロ字型形状を有し、また、施工現場において第１の壁パネル（２）に第１の開口（４）が開口形成されるため、第１及び第２の開口（４）（５）がコ字型形状である場合に第１及び第２の壁パネル（２）（３）を施工現場に搬入する際に生じるおそれのある縁辺部の破損を抑制するのに有効ともなる。
【００３２】
なお、図５及び図６に示した実施形態において、スペース壁材（７）の壁面隅部側の立上がり片（１５）には、図５に示したように、第３の開口（１９）を形成しておくことができる。
【００３３】
さらに、この出願の発明のユニットバスの壁構造では、図７に示したように、角部を壁面隅部に位置させて設置される浴槽（２７）と第１の壁パネル（２）との間に給湯器、給湯用配管等の給湯用部材の上端部、たとえば給湯器（１）の取付けフランジ（１６）等を隠蔽する第１の隠蔽部材（２８）を配設することができる。浴槽（２７）を床パン上に設置した時、浴槽（２７）の高さや給湯用部材の嵌め込み位置等によっては、給湯器（１）の取付けフランジ（１６）等の給湯用部材の上端部が浴槽（２７）の上端部のフランジ（２９）より上に出ることがある。給湯用部材の上端部が浴槽（２７）の上端部のフランジ（２９）より上に出たままでは見栄えが悪い。この見栄えの悪さを解消するために、この出願の発明のユニットバスの壁構造では、第１の隠蔽部材（２８）を配設し、給湯用部材の上端部を第１の隠蔽部材（２８）により隠蔽することができる。
【００３４】
第１の隠蔽部材（２８）を配設する具体的な構造として、たとえば図７及び図８に示したように、第１の壁パネル（２）を上略半部（２ａ）が下略半部（２ｂ）より浴室内側に突出ように構成する。このためには、たとえば、第１の壁パネル（２）の上略半部（２ａ）に壁材（３０）を２枚重ね合わせることが例示される。あるいは、図９及び図１０に示したように、第１の壁パネル（２）の上略半部（２ａ）と下略半部（２ｂ）とを段違い状に配置し、上略半部（２ａ）を浴室内側に配置することが例示される。そして、このような第１の壁パネル（２）に対し、第１の隠蔽部材（２８）を上略半部（２ａ）の下縁に接し、かつ上略半部（２ａ）の表面と面一となるように配置する。こうして、第１の隠蔽部材（２８）を給湯用部材の上端部を隠蔽するように配設する。
【００３５】
なお、第１の隠蔽部材（２８）を配設するために、第１の壁パネル（２）において第１の隠蔽部材（２８）に対向する下略半部（２ｂ）の左右両端部には、図７〜図１０に示したように、上略半部（２ａ）の直下に下地材（３１）を設けることができる。この下地材（３１）は、下略半部（２ｂ）にビス、釘等の固着具により固定することができる。また、図９及び図１０に示したように第１の壁パネル（２）において上略半部（２ａ）を下略半部（２ｂ）より浴室内側に配置する場合には、上略半部（２ａ）のがたつきを抑制する等のために、たとえば図９に示したように、上略半部（２ａ）の裏面上端の左右両側に壁ふかし用のフレーム（３２）を配設することができる。
【００３６】
また、図９に示したように、この出願の発明のユニットバスの壁構造では、スペース壁材（７）は、角型トレイ状の他、手前側に向かって滑らかに湾曲して第２の壁パネル（３）の表面とほぼ面一となるような形状のものとすることもできる。スペース壁材（７）は上記のとおり手前側に向かって滑らかに湾曲しているため、給湯器（１）、給湯用配管等の給湯用部材の着脱に何ら支障とならない。このようなスペース壁材（７）では、垂下片（１１）を省略する一方、十分な固定強度が得られるように、第２の壁パネル（３）と面一となる側の端縁に手前側に向かって固定片（３３）を配設し、この固定片（３３）を第２の壁パネル（３）に当接させてビス、釘等の固着具を用いて固定することができる。
【００３７】
第１の隠蔽部材（２８）は、また、図１１及び図１２に示したように、水平部（３４）と、水平部（３４）の前端から延設された垂下部（３５）とを備え、断面逆さＬ字型形状を有するものとすることができる。そして、図１１に示したように、垂下部（３５）が給湯器（１）の取付けフランジ（１６）等の給湯用部材の上端部を隠蔽することができる。このような断面逆さＬ字型形状を有する第１の隠蔽部材（２８）は、第１の壁パネル（２）にビス、釘等の固着具により直接固定することができ、また、第１の壁パネル（２）の構成を簡略化することもできるため、見栄えを簡便に良好とすることができる。
【００３８】
なお、第１の隠蔽部材（２８）の水平部（３４）の上端縁と第１の壁パネル（２）との間にはコーキング処理するのが好ましい。
【００３９】
また、断面逆さＬ字型形状を有する第１の隠蔽部材（２８）には、給湯用部材の上端部に対向しない垂下部（３５）の裏面側に第１の壁パネル（２）の表面に当接する突起（３６）を設けることができる。突起（３６）は、断面逆さＬ字型形状を有する第１の隠蔽部材（２８）の垂下部（３５）のがたつきを抑制する。
【００４０】
さらにまた、この出願の発明のユニットバスの壁構造では、図１３に示したように、角部を壁面隅部に位置させて設置される浴槽（２７）と第２の壁パネル（３）との間にスペース壁材（７）の上端部を隠蔽する第２の隠蔽部材（３７）を配設することができる。浴槽（２７）がスペース壁材（７）の上端部よりも低い位置に設置されると、スペース壁材（７）の上端部が露出し、見栄えが悪くなる。これを改善するために、第２の隠蔽部材（３７）が配設され、スペース壁材（７）の上端部を隠蔽する。この場合、スペース壁材（７）は、前述のとおり、凹部（６）を有する凹型の部材であるため、第２の隠蔽部材（３７）の下部のがたつきを抑制するために、図１４にも示したように、第２の隠蔽部材（３７）の裏面側に、スペース壁材（７）の表面に当接する当接部材（３８）を設けることができる。当接部材（３８）の形状については特に制限はなく、第２の隠蔽部材（３７）とスペース壁材（７）との間に架設可能な形状であればよい。
【００４１】
なお、第２の隠蔽部材（３７）は、第１の隠蔽部材（２８）も配設される場合には、両者の上端縁が一致するように配設すると、見栄えが良好となる。また、第２の隠蔽部材（３７）についてもその上端縁には、第２の壁パネル（３）との間にコーキング処理することが好ましい。
【００４２】
そして、この出願の発明のユニットバスの壁構造では、スペース壁材（７）の上端部が、角部を壁面隅部に位置させて設置される浴槽（２７）の上端部より高い場合、第２の隠蔽部材（３７）を配設するのに替えて、図１５に示したように、スペース壁材（７）の上部に小物置（３９）を配設することができる。スペース壁材（７）は凹部（６）を有する凹型の部材であるため、小物置として利用することができれば、給湯器（１）、給湯用配管等の給湯用部材の着脱をスムーズにするばかりでなく、より機能的となる。給湯器（１）、給湯用配管等の給湯用部材の着脱に邪魔にならないような部位を小物置（３９）として利用することにより、スペース壁材（７）の付加価値が高まる。この場合、図１５に示したように、小物置（３９）は、スペース壁材（７）の上部に納まるような凹部（４０）を有する箱型とすることができる。スペース壁材（７）には、そのような小物置（３９）を取り付けることができるように、小物置（３９）の下端を固定可能とする固定片（４１）を手前側の立上がり片（９）から奥側の立上がり片（１５）にかけて架設することができる。小物置（３９）には、その下端から下方に垂下片（４２）を垂設することが可能で、この垂下片（４２）は、第２の遮蔽部材（３７）として機能させることができる。
【００４３】
もちろん、この出願の発明は、以上の実施形態によって限定されるものではない。既存の浴室をはじめ、給湯用部材、床パン、第１及び第２の壁パネル等の細部の構成や構造については様々な態様が可能であることはいうまでもない。
【００４４】
【発明の効果】
以上詳しく説明した通り、この出願の発明によって、壁面隅部において給湯器、給湯用配管等の給湯用部材が外壁を貫通して配設された既存の浴室をユニットバスにリフォームする際の作業を省施工化することができ、しかも見栄え良く仕上げることができる。
【図面の簡単な説明】
【図１】この出願の発明のユニットバスの壁構造の一実施形態を示した分解斜視図である。
【図２】この出願の発明のユニットバスの壁構造の一実施形態を示した要部分解斜視図である。
【図３】調整材の一形態を示した斜視図である。
【図４】調整材の一形態を示した斜視図である。
【図５】この出願の発明のユニットバスの壁構造の一実施形態を示した要部分解斜視図である。
【図６】この出願の発明のユニットバスの壁構造の一実施形態を示した要部分解斜視図である。
【図７】この出願の発明のユニットバスの壁構造の一実施形態を示した要部断面図である。
【図８】図７に示したユニットバスの壁構造の分解斜視図である。
【図９】この出願の発明のユニットバスの壁構造の一実施形態を示した分解斜視図である。
【図１０】図９に示したユニットバスの壁構造の要部断面図である。
【図１１】この出願の発明のユニットバスの壁構造の一実施形態を示した要部断面図である。
【図１２】図１０に示したユニットバスの壁構造に用いられる第１の遮蔽部材及び突起を示した斜視図である。
【図１３】この出願の発明のユニットバスの壁構造の一実施形態を示した要部断面図である。
【図１４】図１３に示したユニットバスの壁構造に用いられる第２の遮蔽部材及び当接部材を示した斜視図である。
【図１５】この出願の発明のユニットバスの壁構造の一実施形態を示した要部断面図である。
【符号の説明】
１　　給湯器
２　　第１の壁パネル
２ａ　　上略半部
２ｂ　　下略半部
３　　第２の壁パネル
３ａ　　下略半部
４　　第１の開口
５　　第２の開口
６　　凹部
７　　スペース壁材
８、９、１０、１５　　立上がり片
１１　　垂下片
１２　　開口
１３　　接続筒
１４　　フランジ
１４ａ　　左側部分
１４ｂ　　右側部分
１６　　取付けフランジ
１７　　開口
１８　　下地枠
１８ａ　　左側部分
１９　　第３の開口
２０　　調整材
２１　　凹部
２２　　凸部
２３　　開口
２４　　凸部
２５　　補強板
２６　　縁辺部
２７　　浴槽
２８　　第１の隠蔽部材
２９　　フランジ
３０　　壁材
３１　　下地材
３２　　フレーム
３３　　固定片
３４　　水平部
３５　　垂下部
３６　　突起
３７　　第２の隠蔽部材
３８　　当接部材
３９　　小物置
４０　　凹部
４１　　固定片
４２　　垂下片
【図１】
2004076563.tif 000003
【図２】
2004076563.tif 000004
【図３】
2004076563.tif 000005
【図４】
2004076563.tif 000006
【図５】
2004076563.tif 000007
【図６】
2004076563.tif 000008
【図７】
2004076563.tif 000009
【図８】
2004076563.tif 000010
【図９】
2004076563.tif 000011
【図１０】
2004076563.tif 000012
【図１１】
2004076563.tif 000013
【図１２】
2004076563.tif 000014
【図１３】
2004076563.tif 000015
【図１４】
2004076563.tif 000016
【図１５】
2004076563.tif 000017